(57)【要約】【課題】金額制限のある入金を一回の紙幣投入で入金紙幣を鑑別して金額制限を超えないように受け入れる入金紙幣の鑑別方法及び紙幣処理装置を提供する。【解決手段】本発明の紙幣処理装置の制御部２０における入金紙幣の鑑別方法は、紙幣を投入された入出金部から制限金額Ｘ以内で最高額紙幣ａを鑑別して計数合計金額Ａを算出し、他の紙幣は入出金部に戻し、金額Ａが金額Ｘに達したかを判別し、達しないときは、入出金部から「Ｘ−Ａ」以内で紙幣ａの次に低い額面金額の紙幣ｂを鑑別して計数合計金額Ｂを算出し、他の紙幣は入出金部に戻し、金額「Ａ＋Ｂ」が金額「Ｘ−Ａ」に達したかを判別し、達しないときは、入出金部から「Ｘ−Ａ−Ｂ」以内で紙幣ｂの次に低い額面金額の紙幣ｃを鑑別して計数合計金額Ｃを算出し、金額「Ａ＋Ｂ＋Ｃ」が金額「Ｘ−Ａ−Ｂ」に達したかを判別するということを、金額「Ａ＋Ｂ＋Ｃ＋・・・」が金額「Ｘ−Ａ−Ｂ−・・・」に達するまで繰り返す。【選択図】図１
2010176279.tif 000002
【特許請求の範囲】
【請求項１】
少なくとも、表示と入力操作が可能な取引操作表示画面と、顧客が預け入れ又は引き出しを行う入出金部と、該入出金部に存在する紙幣の良否及び金種別を紙幣一枚毎に順次鑑別する鑑別部と、該鑑別部による鑑別で鑑別結果が正常とされた紙幣を受け入れるＥＳ（escrow）部と、を備えた紙幣処理装置における金額制限のある入金紙幣の鑑別方法において、
前記顧客から前記入出金部に投入される前記紙幣の預け入れ限度金額を予め設定する限度金額設定工程と、
前記入出金部に投入される前記紙幣のうち前記鑑別部による鑑別で鑑別正常とされて前記紙幣処理装置に受け入れる紙幣の限度枚数を予め設定する限度枚数設定工程と、
前記鑑別部が鑑別する紙幣の金種を額面金額の大きなほうから小さいほうへ順次指定する鑑別金種指定工程と、
紙幣鑑別のため前記入出金部から前記鑑別部に繰出された前記紙幣が前記限度枚数設定工程により設定された限度枚数未満の紙幣であるとき前記鑑別部に紙幣の鑑別を続行させ、前記鑑別部に繰出された前記紙幣が前記限度枚数に達したとき、または前記入出金部の紙幣が無くなったとき、前記鑑別部に紙幣の鑑別を停止させる限度枚数監視工程と、
前記鑑別金種指定工程により指定された金種に基づき前記鑑別部により鑑別された結果が鑑別不良または鑑別指定外金種とされた紙幣を前記入出金部に返却する鑑別不良紙幣返却工程と、
前記鑑別金種指定工程により指定された金種に基づき前記鑑別部により鑑別された結果が鑑別正常とされた紙幣の合計金額を算出する鑑別正常紙幣金額算出工程と、
該鑑別正常紙幣金額算出工程により算出された金額と前記ＥＳ（escrow）部に既に在る紙幣の総金額との合計値を算出する入金合計金額算出工程と、
該入金合計金額算出工程による算出された結果が前記限度金額未満であるときは、再度限度枚数設定工程と鑑別金種指定工程によって限度枚数と金種指定を行った上で、再度、前記鑑別部に紙幣の鑑別を続行させ、前記比較結果が前記限度金額と一致したとき前記鑑別部に紙幣の鑑別を終了させる限度金額監視工程と、
を含むことを特徴とする金額制限のある入金紙幣の鑑別方法。
【請求項２】
少なくとも、表示と入力操作が可能な取引操作表示画面と、顧客が預け入れ又は引き出しを行う入出金部と、該入出金部に存在する紙幣の良否及び金種別を紙幣一枚毎に順次鑑別する鑑別部と、該鑑別部による鑑別で鑑別結果が正常とされた紙幣を受け入れるＥＳ（escrow）部と、を備え、金額制限のある入金紙幣の鑑別を行う紙幣処理装置において、
前記顧客から前記入出金部に投入される前記紙幣の預け入れ限度金額を予め設定する限度金額設定手段と、
前記入出金部に投入される前記紙幣のうち前記鑑別部による鑑別で鑑別正常とされて前記紙幣処理装置に受け入れる紙幣の限度枚数を予め設定する限度枚数設定手段と、
前記鑑別部が鑑別する紙幣の金種を額面金額の大きなほうから小さいほうへ順次指定する鑑別金種指定手段と、
紙幣鑑別のため前記入出金部から前記鑑別部に繰出された前記紙幣が前記限度枚数設定手段により設定された限度枚数未満の紙幣であるとき前記鑑別部に紙幣の鑑別を続行させ、前記鑑別部に繰出された前記紙幣が前記限度枚数に達したとき、または前記入出金部の紙幣が無くなったとき、前記鑑別部に紙幣の鑑別を停止させる限度枚数監視手段と、
前記鑑別金種指定手段により指定された金種に基づき前記鑑別部により鑑別された結果が鑑別不良または鑑別指定外金種とされた紙幣を前記入出金部に返却する鑑別不良紙幣返却手段と、
前記鑑別金種指定手段により指定された金種に基づき前記鑑別部により鑑別された結果が鑑別正常とされた紙幣の合計金額を算出する鑑別正常紙幣金額算出手段と、
該鑑別正常紙幣金額算出手段により算出された金額と前記ＥＳ（escrow）部に既に在る
紙幣の総金額との合計値を算出する入金合計金額算出手段と、
該入金合計金額算出手段による算出された結果が前記限度金額未満であるときは、再度限度枚数設定手段と鑑別金種指定手段によって限度枚数と金種指定を行った上で、再度、前記鑑別部に紙幣の鑑別を続行させ、前記比較結果が前記限度金額と一致したとき前記鑑別部に紙幣の鑑別を終了させる限度金額監視手段と、
を備えたことを特徴とする紙幣処理装置。
【発明の詳細な説明】
【技術分野】
【０００１】
本発明は、金額制限のある入金において一回の紙幣投入で入金紙幣を鑑別して金額制限を超えないように受け入れる入金紙幣の鑑別方法及びその方法を用いた紙幣処理装置に関する。
【背景技術】
【０００２】
従来、ＡＴＭ（Automatic Teller Machine）等の紙幣処理装置が銀行等に広く普及して用いられている。ところで、近年、マネーロンダリング対策として、紙幣処理装置の入金紙幣の限度額を制限している場合が多い。
【０００３】
その場合、紙幣処理装置側では、紙幣を鑑別して、つまり紙幣処理装置の入出金口に入金された紙幣の各１枚毎の金種を鑑別して、その額面金額の合計が入金限度額を超えないように監視する必要がある。
【０００４】
図４(a),(b) は、従来のＡＴＭ等における入金紙幣の鑑別・受け入れの手順を示す図である。図４(a) では、実線ａで示すように、顧客がＡＴＭ１の入出金部２に投入した紙幣を、収容順に１枚ずつ繰出し、鑑別部３において金種判定を実施している。
【０００５】
そして、鑑別部３における鑑別で正常な紙幣はＥＳ（escrow：一時保留）部４で一旦保留し、鑑別で異常となった紙幣は、破線ｂで示すように、リジェクト紙幣として入出金部２に戻すという手順を示している。尚、模擬券投入部５は、装置の動作試験用に用いられも模擬紙幣を収納する収納部であり、本発明には関係しない構成部分である。
【０００６】
上記のようにして、入出金部２に投入された全紙幣の鑑別が終了すると、ＥＳ部４に収容された真券は、図４(b) に実線で示すように、ＥＳ部４から１枚ごとに繰り出されて、再び鑑別部３の鑑別にかけられ、実用に未だ十分耐えうる真券は、金種別に分別されながら良品スタッカ６ａ、６ｂ、又は６ｃに収納される。
【０００７】
また、汚れ、折れ込み、破れ等の不良の度合いが所定の限度を超えているものについては、後刻、新券と交換するために、不良の種別ごとに分別されながら、不良品スタッカ７ａ、７ｂ、又は７ｃに収納される。
【０００８】
このように、投入口（入出金部）に投入された貨幣を金種ごとに識別（鑑別）して投入金額を計数する貨幣処理機は既に提案されている（例えば、特許文献１参照）。
また、例えば、紙幣入金口から入金できる紙幣の枚数を制限し、所定の入金可能枚数以下の入金紙幣を一括受付する自動支払受付装置が提案されている（例えば、特許文献２参照）。
【先行技術文献】
【特許文献】
【０００９】
【特許文献１】特開２００８−００３８３２号公報
【特許文献２】特開平１１−２３２５２３号公報
【発明の概要】
【発明が解決しようとする課題】
【００１０】
しかしながら、従来の紙幣鑑別の技術は、入出金部に投入された紙幣を全て鑑別した後で合計金額の計算を実施するため、ＥＳ部４に金額制限を越えた紙幣を受け付けてしまう
場合があるという課題がある。
【００１１】
図５は、そのようなＥＳ部４に金額制限を越えた紙幣を受け付けてしまう場合の例を説明する図表である。尚、同図に示す図表１０は、左から右へ、投入金額欄１１、紙幣移動欄１２、鑑別正常欄１３、未計数欄１４、鑑別金額欄１５、返却金額欄１６、及び結果欄１７から構成されている。
【００１２】
また、同図表は、顧客が入出金部に投入する紙幣を、金種別を順不同のまま投入した場合を示し、投入金額が５４，０００円であり、その投入紙幣に不良紙幣が無いものとする。また、本例では、ＡＴＭ側の受け入れ限度は、枚数で１０枚まで、金額で５０，０００円までとした場合の例を示している。
【００１３】
紙幣移動欄１２には、入出金部に金種別順不同に投入された紙幣の金種別の並び方の例を、同図表ではケース１〜ケース４まで４例あることを示している。そして、鑑別正常欄１３には、それらの各ケースごとに、１０枚の紙幣が、入出金部から一枚ごとに繰り出された順に示され、１枚ごとに、それぞれの金額が示されている。
【００１４】
また、未計数欄１４には、１０枚を超えた紙幣が、それぞれ２枚あることを示し、１枚ごとに、それぞれの金額が示されている。鑑別金額欄１５には、各ケースごとに、紙幣１０まで鑑別された合計金額が示されている。
【００１５】
返却金額欄１６には、投入金額から鑑別金額を差し引いた、つまり未計数欄１４に示される金額が示されている。結果欄１７には、ＡＴＭ側の受け入れ限度である枚数で１０枚まで、金額で５０，０００円までの条件を満たしているか否かの評価が「ＯＫ」又は「ＮＧ」で示されている。
【００１６】
ケース１〜４は、いずれも紙幣１０枚で鑑別が打ち切られているので、受け入れ限度が１０枚までの条件は満たされている。そして、その合計金額では、ケース１では３４，０００円であるので、金額５０，０００円までの条件を満たしているので結果は「ＯＫ」である。
【００１７】
しかし、ケース２では鑑別された合計金額が５２，０００円であるので、金額５０，０００円までの条件を超過しており、結果は「ＮＧ」である。また、ケース３では、鑑別された合計金額が３９，０００円であるので、金額５０，０００円までの条件を満たしているので結果は「ＯＫ」である。また、ケース４では、鑑別金額が５１，０００円であり制限金額を超過しているので結果は「ＮＧ」である。
【００１８】
このように顧客が入出金部２に投入する紙幣の金種別を順不同のまま投入した場合には、受け入れ条件を超える金額の紙幣がＥＳ部４に収容される場合が、まま発生する。
ところで、紙幣の金種別や良・不良の分別は鑑別部３で行っていて、ＥＳ部４で行っているものではない。鑑別部３による図４(a) の良・不良の仕分けが完了した時点では、ＥＳ部４からは、図４(b) に示すように、真券として分別され且つ金種別に分別された紙幣を良品スタッカ６ａ、６ｂ、６ｃ又は不良品スタッカ７ａ、７ｂ、７ｃに送り出しているだけである。
【００１９】
したがって、図４(a) の良・不良の仕分けが完了した時点からでは、ＥＳ部４から入出金部２に紙幣を送り込むことが出来る場合といえば、確認の段階で顧客からの取消入力があったとき、又は装置側の判断で取消モードに移行したときのみ、ＥＳ部４内の紙幣が一括して全て入出金部２に返却されるときだけである。
【００２０】
つまり、上記のように、受け入れ条件を超える金額の紙幣がＥＳ部４に収容された場合に、ＥＳ部４では金額超過分の紙幣のみを分別して入出金部２に返却することができない。この場合は装置側の判断で取消モードが発動され、ＥＳ部４内の紙幣が一括して全て入出金部２に返却され、顧客からの紙幣の再投入を待つことになる。
【００２１】
この場合は、顧客に許容範囲の投入金額の確認と、その金額に見合った金種別の仕分けを行ってもらい、再度入金してもらうことになり、顧客に対し不親切な対応となる。
本発明の課題は、上記従来の実情に鑑み、金額制限のある入金において一回の紙幣投入で入金紙幣を鑑別して金額制限を超えないように受け入れる入金紙幣の鑑別方法及びその方法を用いた紙幣処理装置を提供することである。
【課題を解決するための手段】
【００２２】
上記の課題を解決するために、本発明の金額制限のある入金紙幣の鑑別方法は、少なくとも、表示と入力操作が可能な取引操作表示画面と、顧客が預け入れ又は引き出しを行う入出金部と、該入出金部に存在する紙幣の良否及び金種別を紙幣一枚毎に順次鑑別する鑑別部と、該鑑別部による鑑別で鑑別結果が正常とされた紙幣を受け入れるＥＳ（escrow）部と、を備えた紙幣処理装置における金額制限のある入金紙幣の鑑別方法において、上記顧客から上記入出金部に投入される上記紙幣の預け入れ限度金額を予め設定する限度金額設定工程と、上記入出金部に投入される上記紙幣のうち上記鑑別部による鑑別で鑑別正常とされて上記紙幣処理装置に受け入れる紙幣の限度枚数を予め設定する限度枚数設定工程と、上記鑑別部が鑑別する紙幣の金種を額面金額の大きなほうから小さいほうへ順次指定する鑑別金種指定工程と、紙幣鑑別のため上記入出金部から上記鑑別部に繰り出された上記紙幣が上記限度枚数設定工程により設定された限度枚数未満の紙幣であるとき上記鑑別部に紙幣の鑑別を続行させ、上記鑑別部に繰り出された上記紙幣が上記限度枚数に達したとき、または上記入出金部の紙幣が無くなったとき、上記鑑別部に紙幣の鑑別を停止させる限度枚数監視工程と、上記鑑別金種指定工程により指定された金種に基づき上記鑑別部により鑑別された結果が鑑別不良または鑑別指定外金種とされた紙幣を上記入出金部に返却する鑑別不良紙幣返却工程と、上記鑑別金種指定工程により指定された金種に基づき上記鑑別部により鑑別された結果が鑑別正常とされた紙幣の合計金額を算出する鑑別正常紙幣金額算出工程と、該鑑別正常紙幣金額算出工程により算出された金額と上記ＥＳ（escrow）部に既に在る紙幣の総金額との合計値を算出する入金合計金額算出工程と、該入金合計金額算出工程による算出された結果が上記限度金額未満であるときは、再度限度枚数設定工程と鑑別金種指定工程によって限度枚数と金種指定を行った上で、再度、上記鑑別部に紙幣の鑑別を続行させ、上記比較結果が上記限度金額と一致したとき上記鑑別部に紙幣の鑑別を終了させる限度金額監視工程と、を含んで構成される。
【００２３】
また、上記の課題を解決するために、本発明の紙幣処理装置は、少なくとも、表示と入力操作が可能な取引操作表示画面と、顧客が預け入れ又は引き出しを行う入出金部と、該入出金部に存在する紙幣の良否及び金種別を紙幣一枚毎に順次鑑別する鑑別部と、該鑑別部による鑑別で鑑別結果が正常とされた紙幣を受け入れるＥＳ（escrow）部と、を備え、金額制限のある入金紙幣の鑑別を行う紙幣処理装置において、上記顧客から上記入出金部に投入される上記紙幣の預け入れ限度金額を予め設定する限度金額設定手段と、上記入出金部に投入される上記紙幣のうち上記鑑別部による鑑別で鑑別正常とされて上記紙幣処理装置に受け入れる紙幣の限度枚数を予め設定する限度枚数設定手段と、上記鑑別部が鑑別する紙幣の金種を額面金額の大きなほうから小さいほうへ順次指定する鑑別金種指定手段と、紙幣鑑別のため上記入出金部から上記鑑別部に繰り出された上記紙幣が上記限度枚数設定手段により設定された限度枚数未満の紙幣であるとき上記鑑別部に紙幣の鑑別を続行させ、上記鑑別部に繰り出された上記紙幣が上記限度枚数に達したとき、または上記入出金部の紙幣が無くなったとき、上記鑑別部に紙幣の鑑別を停止させる限度枚数監視手段と、上記鑑別金種指定手段により指定された金種に基づき上記鑑別部により鑑別された結果が鑑別不良または鑑別指定外金種とされた紙幣を上記入出金部に返却する鑑別不良紙幣返却手段と、上記鑑別金種指定手段により指定された金種に基づき上記鑑別部により鑑別された結果が鑑別正常とされた紙幣の合計金額を算出する鑑別正常紙幣金額算出手段と、該鑑別正常紙幣金額算出手段により算出された金額と上記ＥＳ（escrow）部に既に在る紙幣の総金額との合計値を算出する入金合計金額算出手段と、該入金合計金額算出手段による算出された結果が上記限度金額未満であるときは、再度限度枚数設定手段と鑑別金種指定手段によって限度枚数と金種指定を行った上で、再度、上記鑑別部に紙幣の鑑別を続行させ、上記比較結果が上記限度金額と一致したとき上記鑑別部に紙幣の鑑別を終了させる限度金額監視手段と、を備えて構成される。
【発明の効果】
【００２４】
本発明は、紙幣処理装置における金額制限のある入金において一回の紙幣投入で入金紙幣を鑑別して金額制限を超えないようにする金額制限のある入金紙幣の鑑別方法及びその方法を用いた紙幣処理装置を提供することが可能となるという効果を奏する。
【図面の簡単な説明】
【００２５】
【図１】本発明の実施例に係るＡＴＭのシステム構成のブロック図である。
【図２】本発明の実施例１に係る一回の紙幣投入で金額制限を越えないように受け入れ且つ限度金額未満の場合は限度枚数と鑑別金種の設定を再度行い、再度、紙幣鑑別処理を実施する動作を示すフローチャートである。
【図３】本発明の実施例１に係る紙幣鑑別処理において金種別が不整理のまま投入される紙幣束の例を４例あげて紙幣を金種別に順次並べて行う鑑別結果を説明する図表群を示す図である。
【図４】(a),(b) は従来のＡＴＭ等における入金紙幣の鑑別・受け入れの手順を示す図である。
【図５】従来のＡＴＭ等においてＥＳ（escrow）部に金額制限を越えた紙幣を受け付けてしまう場合の例を説明する図表である。
【発明を実施するための形態】
【００２６】
以下、本発明の実施の形態について、詳細に説明する。
本発明おいては、紙幣処理装置としてのＡＴＭは、図４(a),(b) に示した従来同様のＡＴＭ１を用いるが、本発明では実施例に示すように投入された紙幣への処理の方法が従来とは異なる。先ず、ＡＴＭ１のシステム構成について以下に説明する。
【００２７】
図１は、本発明の実施例に係るＡＴＭ１のシステム構成のブロック図を示である。同図に示すように、このシステム構成における制御部２０には、突然の停電時でも動作が可能なように、ＵＰＳ(uninterruptible power supply system）から成る電源２１が接続されている。
【００２８】
また、制御部２０の内部は、ホスト回線制御部２２、監視系通信制御部２３、外部機器制御部２４、ＵＯＰ（user's operating portion）制御部２５、ＵＳＢ（universal serial bus）インターフェース２６、ＨＵＢ(hub：集線装置）２７、補助記憶部２８、ホスト回線部２９等で構成されている。
【００２９】
補助記憶部２８は、ハードディスクを駆動して読取りと書込みを行うＨＤＤ(hard disk
drive）３１と、ＤＶＤ（Digital Versatile Disc）などを着脱自在に装着して読取りと書込みを行う光学ドライブ３２で構成されている。
【００３０】
補助記憶部２８には、外部から入力する各種の画像やデータ、又は制御部２０で演算処理される各種の画像やデータを、一時的又は所定期間又は永続的に記憶し、それらの画像
やデータは、制御部２０内の各制御部から必要に応じて読み出される。
【００３１】
上記のＨＵＢ２７には、紙幣処理装置１内部の各機構部としての、カード読取り印字部３３、通帳印字部３４、紙幣入出金部３５、硬貨入出金部３６が接続されている。これらの各機構部は、ＨＵＢ２７及びＵＳＢインターフェース２６を介して制御部２０によって制御される。
【００３２】
また、紙幣入出金部３５は、図４の入出金部２、鑑別部３、ＥＳ（escrow）部４、良品スタッカ６ａ、６ｂ、６ｃ、不良品スタッカ７ａ、７ｂ、７ｃ等を制御する部門である。
また、ホスト回線制御部２２及び監視系通信制御部２３には、それぞれＬＡＮ（local area network）を介して、ルータ３７及び監視システム３８が接続され、外部機器制御部２４には、他のＬＡＮを介して、セカンドディスプレイ３９及び図１に示したネットワークカメラ５が接続されている。
【００３３】
ルータ３７は、ＴＣ（transmission control）回路と、ルータのＩＰアドレスを格納したＧＷ回路を備えている。また、セカンドディスプレイ３９は、ＬＣＤ(liquid crystal display)４１と、このＬＣＤ４１を表示制御するＬＣＤ制御部４２とで構成されている。このセカンドディスプレイ３９は、専用の電源４３を備えている。
【００３４】
また、ＵＯＰ制御部２５には、顧客制御部（ＵＯＰ）４４が接続されている。顧客制御部（ＵＯＰ）４４は、ＬＣＤ４５とタッチパネル４６から成る図１に示した操作画面３や、この操作画面３を取り巻く装置本体の正面や側面に配設された各種機器や装置の動作を制御する。
【００３５】
それらの各種機器や装置には、スピーカ４７、顧客センサ４８、取り扱い表示４９、ハンドセット５１、図１に示した内蔵のカメラ６（可動式又は背後撮影用の固定型）、テンキー５２等が含まれている。
【００３６】
ピーカ４７は、操作画面３の表示に伴って顧客２に音声で画面操作を案内するためのもの、顧客センサ４８は、顧客２が操作画面３の前に立ったことを検知して検知結果をＵＯＰ制御部２５に通信するためのもの、取り扱い表示４９は、平日、土日祭日、昼間、夜間の時間帯によって変動する取引の取り扱い内容を顧客に表示報知するためのものである。
【００３７】
また、ハンドセット５１は、操作画面３に不具合が生じたとき顧客２がシステム管理部と双方向通話するためのもの、テンキー５２は操作画面３の横に設置されて固定された電卓型の入力キーであり、顧客２の好みにより後述する表示画面のテンキーボタンと二者択一的に選択されて使用され、取引金額や暗証番号等の数字が入力されるためのものである。
【実施例１】
【００３８】
図２は、本発明の実施例１に係る投入紙幣を金種別に順次並べて金額制限を越えないように受け入れ且つ端数金額の紙幣を入出金部に返却する処理の動作を示すフローチャートである。
【００３９】
図３は、本発明の実施例１に係る図２の紙幣鑑別処理において、金種別が不整理のまま投入される紙幣束の例を４例あげて、紙幣を金種別に順次並べて行う鑑別結果を説明する図表群を示す図である。
【００４０】
先に、図３について簡単に説明する。本例では、顧客が入出金部２に投入する金額の如何にかかわらず受け入れ限度額は５０，０００円であるとする。それに対して、顧客が入
出金部２に投入した金額は５４，０００円であったとする。
【００４１】
また、顧客が入出金部２に投入する紙幣の枚数は、基本的に入出金部２に挿入可能な枚数であるが、金額制限のある場合は、その金額制限の金額に応じて、受け入れ可能な紙幣の限度枚数が設定される。本例の場合、顧客が入出金部２に投入した紙幣の枚数は１２枚であったとする。
【００４２】
図３の図表５３は、上記のような紙幣処理装置１側の金額５０，０００円以下、紙幣の初期投入認可枚数１０枚以下という条件と、顧客側の投入紙幣枚数１２枚で、金額５４，０００円を投入という環境下において、投入紙幣束の金種別とその並び順序を、ケース１からケース４まで４例示している。
【００４３】
図表５３の上段の、投入金額欄に対応する下の欄には顧客が入出金部２に投入した紙幣の合計金額として、５４，０００が示され、ケース欄に対応する下の欄には、４行に渡ってケース１、ケース２、ケース３、ケース４が示されている。
【００４４】
図表５３の上段の、１〜１２は、顧客が入出金部２に投入した紙幣の枚数が１２枚であること及びその紙幣束内の紙幣の並び順が示されている。
そして、ケース１では、１２枚の札束内の金種別の並び順が、千円、千円、千円、二千円、二千円、二千円、五千円、五千円、五千円、一万円、一万円、一万円である場合の例を示している。
【００４５】
また、ケース２では、１２枚の札束内の金種別の並び順が、一万円、一万円、一万円、五千円、五千円、五千円、二千円、二千円、二千円、千円、千円、千円である場合の例を示している。
【００４６】
また、ケース３では、１２枚の札束内の金種別の並び順が、千円、二千円、五千円、一万円、千円、二千円、五千円、一万円、千円、二千円、五千円、一万円である場合の例を示している。
【００４７】
また、ケース４では、１２枚の札束内の金種別の並び順が、一万円、五千円、二千円、千円、一万円、五千円、二千円、千円、一万円、五千円、二千円、千円である場合の例を示している。
【００４８】
尚、上記の例のほかに、投入紙幣束の金種別とその並び順序が上記以外の並びかたであっても、以下に述べる方法で、一回の投入紙幣で入金紙幣を鑑別して金額制限を超えないように受け入れる処理を実行することができることは勿論である。
【００４９】
図２において、顧客が顧客操作部（ＵＯＰ）４４の前に立ったことを顧客センサ４８が検出すると、制御部２０は、紙幣挿入処理、すなわち入出金部２の紙幣扉を開く処理を行う（ステップＳ１）。尚、この処理では、特には図示していないが、顧客操作部（ＵＯＰ）４４のＬＣＤ４５には、例えば「紙幣を挿入してください」等の表示画面が表示される。
【００５０】
続いて、制御部２０は、第１回目の入金計数モードを設定する（ステップＳ２）。この処理では、第１回目の入金計数モードであるので、鑑別金種は額面金額の一番大きな金種である一万円に設定される。そして、入金限度が５０，０００円であるので紙幣の鑑別限度枚数は５枚に設定される。
【００５１】
尚、ここでいう鑑別限度枚数の鑑別とは、計数前に設定された限度枚数（制限枚数）内
にある指定金種の紙幣を識別することを意味している。鑑別部３では当然ながら指定外の金種の紙幣も分別するために識別しているが、ここでは指定枚数外の紙幣、及び指定外金種の紙幣の識別処理については鑑別した対象として計数しないものとする。以下の説明に出てくる鑑別限度枚数についても同様である。
【００５２】
上記のように設定された入金計数モードに従って、制御部２０は、鑑別部３による第１回目の紙幣計数処理（紙幣鑑別処理）を制御する（ステップＳ３）。図３の図表５４は、この第１回目の紙幣計数処理の結果を示している。
【００５３】
図３の図表５４の上段には、左から右へ、紙幣移動（ケース）欄、鑑別正常（１〜３）欄、指定外金種（１〜９）欄、鑑別金額Ａ欄、及び返却金額欄があり、紙幣移動（ケース）欄に対応する下の欄には、図表５３に示した顧客が入出金部２に投入した１２枚の紙幣の４通りの金種別の並び順に対応するケース１〜４が示されている。
【００５４】
そして、鑑別正常（１〜３）欄に対応する下の欄の、ケース１に対応する行には、一枚目から３枚目まで、一万円を示す「万」、「万」、「万」が示されている。
また、指定外金種（１〜９）欄に対応する下の欄の、ケース１に対応する行には、１枚目から３枚目まで、千円を示す「千」、「千」、「千」、４枚目から６枚目まで、二千円を示す「二千」、「二千」、「二千」、７枚目から９枚目まで、五千円を示す「五千」、「五千」、「五千」が示されている。
【００５５】
これは図表５３に示すケース１で、１枚目から９枚目までは指定外金種であるので、入出金部２から繰り出した順に入出金部２に戻され、１０枚目から１３枚目までの３枚が指定金種であるのでＥＳ（escrow）部４に受け入れられたことを示している。
【００５６】
また、これに対応して、図表５４の右の鑑別金額Ａ欄に対応する下の欄の、ケース１に対応する行には、鑑別正常としてＥＳ（escrow）部４に受け入れた金額として「３０，０００（円）」が示され、返却金額欄に対応する下の欄の、ケース１に対応する行には、返却金額の合計である「２４，０００（円）」が示されている。
【００５７】
図表５３と図表５４を見比べると、ケース２〜ケース４についても上記と同様に処理されていることが分かる。
図２に示す処理おいて、制御部２０は、上記の処理に続いて、ＥＳ（escrow）部４に受け入れた計数金額合計Ａが限度額の５０，０００円になっているか否かを判別する（ステップＳ４）。
【００５８】
この処理では、最初の計数処理に続く処理であるので、計数金額合計Ａは鑑別金額Ａ欄に示される第１回目の計数金額３０，０００円である。したがって、この判別は否である（Ｓ４がＮＯ）。
【００５９】
この場合、制御部２０は、紙幣の鑑別と計数を続行するために、第２回目の入金計数モードを設定する。この第２回目の入金計数モードでは、先ず、受け入れ限度額に対する受け入れ不足額を「（５０，０００−Ａ）」として算出し、この不足額を、一万円紙幣の次に額面金額が小さい五千円紙幣の金額「５，０００」で除算する。
【００６０】
図表５４に示す例では、受け入れ不足額「（５０，０００−Ａ）」は２０，０００であるので、これを５，０００で除すると答えは「４」である。すなわち、紙幣の鑑別限度枚数が４枚に設定され、紙幣の鑑別金種が五千円に設定される（ステップＳ５）。
【００６１】
この設定された入金計数モードに従って、制御部２０は、鑑別部３による第２回目の紙
幣計数処理（紙幣鑑別処理）を制御する（ステップＳ６）。図３の図表５５は、この第２回目の紙幣計数処理の結果を示している。
【００６２】
図３の図表５５の上段には、左から右へ、紙幣移動（ケース）欄、鑑別正常（１〜３）欄、指定外金種（１〜９）欄、鑑別金額Ｂ欄、及び返却金額欄があり、紙幣移動（ケース）欄に対応する下の欄には、図表５４に示した第１回目の４通りの鑑別結果に対応するケース１〜４が示されている。
【００６３】
そして、鑑別正常（１〜６）欄に対応する下の欄の、ケース１に対応する行には、既に計数（鑑別）された一枚目から３枚目に追加された追加分の４枚目から６枚目まで、五千円を示す「五千」、「五千」、「五千」が示されている。
【００６４】
また、指定外金種（１〜６）欄に対応する下の欄の、ケース１に対応する行には、１枚目から３枚目まで、千円を示す「千」、「千」、「千」、４枚目から６枚目まで、二千円を示す「二千」、「二千」、「二千」が示されている。
【００６５】
これは図表５４に示すケース１で、１枚目から６枚目までは指定外金種であるので、入出金部２から繰り出した順に入出金部２に戻され、７枚目から９枚目までの３枚が指定金種であるのでＥＳ（escrow）部４に受け入れられたことを示している。
【００６６】
また、これに対応して、図表５５の右の鑑別金額欄Ｂに対応する下の欄の、ケース１に対応する行には、鑑別正常としてＥＳ（escrow）部４に受け入れた金額の合計として「４５，０００（円）」が示され、返却金額欄に対応する下の欄の、ケース１に対応する行には、返却金額の合計である「９，０００（円）」が示されている。
【００６７】
図表５４と図表５５を見比べると、ケース２〜ケース４についても上記と同様に処理されていることが分かる。
更に、図２に示す処理おいて、制御部２０は、上記の処理に続いて、ＥＳ（escrow）部４に受け入れた計数金額合計Ｂが限度額の５０，０００円になっているか否かを判別する（ステップＳ７）。
【００６８】
この処理では、２回目の計数処理に続く処理であるので、計数金額合計Ｂは図表５４の鑑別金額Ａ欄に示される第１回目の計数金額３０，０００円に、図表５５の鑑別正常（１〜６）欄の追加分の４枚目から６枚目までの第２回目の計数金額が加算された図表５５の鑑別金額Ｂ欄に示される金額４５，０００円である。したがって、この判別は否である（Ｓ７がＮＯ）。
【００６９】
この場合、制御部２０は、紙幣の鑑別と計数を更に続行するために、第３回目の入金計数モードを設定する（ステップＳ８）。
この第３回目の入金計数モードの処理では、先ず、受け入れ限度額に対する受け入れ不足額を「（５０，０００−Ｂ）」として算出する。この不足額は５，０００円である。制御部２０は、この不足額５，０００円を、五千円紙幣の次に額面金額が小さい二千円紙幣の金額「２，０００」で除算する。答えは「２」である。端数は切り捨てる。
【００７０】
すなわち、この処理では、紙幣の鑑別金種が二千円に設定され、紙幣の鑑別限度枚数が２枚に設定される。この設定された入金計数モードに従って、制御部２０は、鑑別部３による第３回目の紙幣計数処理（紙幣鑑別処理）を制御する（ステップＳ９）。図３の図表５６は、この第３回目の紙幣計数処理の結果を示している。
【００７１】
図３の図表５６の上段には、左から右へ、紙幣移動（ケース）欄、鑑別正常（１〜８）
欄、指定外金種＋未計数（１〜４）欄、鑑別金額Ｃ欄、及び返却金額欄があり、紙幣移動（ケース）欄に対応する下の欄には、図表５５に示した第２回目の４通りの鑑別結果に対応するケース１〜４が示されている。
【００７２】
そして、鑑別正常（１〜８）欄に対応する下の欄の、ケース１に対応する行には、既に計数（鑑別）された１枚目から６枚目に追加された追加分の７枚目及び８枚目に、二千円を示す「二千」、「二千」が示されている。
【００７３】
また、指定外金種＋未計数（１〜４）欄に対応する下の欄の、ケース１に対応する行には、１〜３枚目までに千円を示す「千」、「千」、「千」が示され、４枚目に二千円を示す「二千」が示されている。
【００７４】
これは図表５５の指定外金種欄のケース１に対応する行に示されていた紙幣のうち、１枚目から３枚目までは指定外金種の千円であるので、入出金部２から繰り出した順に入出金部２に戻され、４枚目と５枚目の二千円は指定金種で且つ鑑別限度枚数内であるのでＥＳ（escrow）部４に受け入れられ、６枚目の二千円は指定金種ではあるが、鑑別限度枚数を超えるので鑑別数から除外したことを示している。
【００７５】
また、これに対応して、図表５６の右の鑑別金額Ｃ欄に対応する下の欄の、ケース１に対応する行には、鑑別正常としてＥＳ（escrow）部４に受け入れた金額の合計として「４９，０００（円）」が示され、返却金額欄に対応する下の欄の、ケース１に対応する行には、返却金額の合計である「５，０００（円）」が示されている。
【００７６】
図表５５と図表５６を見比べると、ケース２〜ケース４についても上記と同様に処理されていることが分かる。
ここで、図２に示す処理おいて、制御部２０は、上述した処理に続いて、ＥＳ（escrow）部４に受け入れた計数金額合計Ｃが限度額の５０，０００円になっているか否かを判別する（ステップＳ１０）。
【００７７】
この処理では、３回目の計数処理に続く処理であるので、計数金額合計Ｃは図表５５の鑑別金額Ｂ欄に示される第２回目の計数金額４５，０００円に、図表５６の鑑別正常（１〜８）欄の追加分の７枚目及び８枚目の第３回目の計数金額が加算された図表５６の鑑別金額Ｃ欄に示される金額４９，０００円である。したがって、この判別は否である（Ｓ１０がＮＯ）。
【００７８】
この場合、制御部２０は、紙幣の鑑別と計数を更に続行するために、第４回目の入金計数モードを設定する（ステップＳ１１）。
この第４回目の入金計数モードの処理では、先ず、受け入れ限度額に対する受け入れ不足額を「（５０，０００−Ｃ）」として算出する。この不足額は１，０００円である。制御部２０は、この不足額１，０００円を、二千円紙幣の次に額面金額が小さい千円紙幣の金額「１，０００」で除算する。答えは「１」である。
【００７９】
すなわち、この処理では、紙幣の鑑別金種が千円に設定され、紙幣の鑑別限度枚数が１枚に設定される。この設定された入金計数モードに従って、制御部２０は、鑑別部３による第４回目の紙幣計数処理（紙幣鑑別処理）を制御する（ステップＳ１２）。図３の図表５７は、この第４回目の紙幣計数処理の結果を示している。
【００８０】
図３の図表５７の上段には、左から右へ、紙幣移動（ケース）欄、鑑別正常（１〜９）欄、指定外金種＋未計数（１〜３）欄、鑑別金額Ｄ欄、及び返却金額欄があり、紙幣移動（ケース）欄に対応する下の欄には、図表５６に示した第３回目の４通りの鑑別結果に対
応するケース１〜４が示されている。
【００８１】
そして、鑑別正常（１〜９）欄に対応する下の欄の、ケース１に対応する行には、既に計数（鑑別）された１枚目から８枚目に追加された追加分の９枚目に、千円を示す「千」が示されている。
【００８２】
また、指定外金種＋未計数（１〜３）欄に対応する下の欄の、ケース１に対応する行には、１、２枚目に千円を示す「千」、「千」が示され、３枚目に二千円を示す「二千」が示されている。
【００８３】
これは図表５６の指定外金種欄のケース１に対応する行に示されていた紙幣のうち、１枚目は指定金種の千円であるので、ＥＳ（escrow）部４に受け入れられ、２枚目と３枚目の千円は指定金種ではあるが、鑑別限度枚数を超えるので鑑別数から除外したことを示している。４枚目の二千円も鑑別限度枚数を超えるので鑑別数から除外したことを示している。
【００８４】
また、これに対応して、図表５７の右の鑑別金額Ｄ欄に対応する下の欄の、ケース１に対応する行には、鑑別正常としてＥＳ（escrow）部４に受け入れた金額の合計として「５０，０００（円）」が示され、返却金額欄に対応する下の欄の、ケース１に対応する行には、返却金額の合計である「４，０００（円）」が示されている。
【００８５】
図表５６と図表５７を見比べると、ケース２〜ケース４についても上記と同様に処理されていることが分かる。
紙幣の額面金額の最低は「１，０００（円）」であるので、計数結果の如何に拘わらず鑑別処理はここで終了する。そして、制御部２０は、図表５７の鑑別金額Ｄに示される金額「５０，０００」を、ＬＣＤ４５に表示し、同表示画面に表示されている「確認」ボタンの入力を待機する（ステップＳ１３）。
【００８６】
勿論、同表示画面には、「取消」ボタンも表示されているので、顧客は表示画面の表示が自分の意に反していれば、又は気が変わって取り引きを解消する場合は、「取消」ボタンを入力操作することができる。
【００８７】
特には図示しないが、上記の表示画面で顧客が「確認」ボタンの入力操作をしたときは返却金額の４，０００円が収容されている入出金部２の紙幣扉が開かれて返却金額の取り出しが可能な状態にするとともに、ＥＳ（escrow）部４に受け入れられている紙幣束が、図４(b) に示すように良・不良別、金種別に仕分けされて紙幣処理装置内に収容される。
【００８８】
また、上記の表示画面で顧客が「取消」ボタンの入力操作をしたときは、ＥＳ（escrow）部４に受け入れられている紙幣束が入出金部２に戻される。
また、上記ステップＳ４、Ｓ７、又はＳ１０の判別がＹＥＳとなった場合は、直ちに処理を終了する。
【００８９】
このように、本発明の紙幣処理装置の制御部２０における入金紙幣の鑑別方法は、紙幣を投入された入出金部から制限金額Ｘ以内で最高額紙幣ａを鑑別して計数合計金額Ａを算出し、他の紙幣は入出金部に戻し、金額Ａが金額Ｘに達したかを判別し、達しないときは、入出金部から「Ｘ−Ａ」以内で紙幣ａの次に低い額面金額の紙幣ｂを鑑別して計数合計金額Ｂを算出し、他の紙幣は入出金部に戻し、金額「Ａ＋Ｂ」が金額「Ｘ−Ａ」に達したかを判別し、達しないときは、入出金部から「Ｘ−Ａ−Ｂ」以内で紙幣ｂの次に低い額面金額の紙幣ｃを鑑別して計数合計金額Ｃを算出し、金額「Ａ＋Ｂ＋Ｃ」が金額「Ｘ−Ａ−Ｂ」に達したかを判別するということを、金額「Ａ＋Ｂ＋Ｃ＋・・・」が金額「Ｘ−Ａ−Ｂ−・・・」に達するまで繰り返す。
【産業上の利用可能性】
【００９０】
本発明は、例えばＡＴＭ等の金銭を取り扱う自動化機器に利用することができる。
【符号の説明】
【００９１】
１  ＡＴＭ（Automatic Teller Machine）
２  入出金部
３  鑑別部
４  ＥＳ（escrow：一時保留）部
５  模擬券投入部
６ａ、６ｂ、６ｃ  良品スタッカ
７ａ、７ｂ、７ｃ  不良品スタッカ
１０  金額制限を越えた紙幣を受け付ける場合の例を説明する図表
１１  投入金額欄
１２  紙幣移動欄
１３  鑑別正常欄
１４  未計数欄
１５  鑑別金額欄
１６  返却金額欄
１７  結果欄
２０  制御部
２２  ホスト回線制御部
２３  監視系通信制御部
２４  外部機器制御部
２５  ＵＯＰ（user's operating portion）
２６  ＵＳＢ（universal serial bus）インターフェース
２７  ＨＵＢ(hub：集線装置）
２８  補助記憶部
２９  ホスト回線部
３１  ＨＤＤ(hard disk drive）
３２  光学ドライブ
３３  カード読取り印字部
３４  通帳印字部
３５  紙幣入出金部
３６  硬貨入出金部
３７  ルータ
３８  監視システム
３９  セカンドディスプレイ
４１  ＬＣＤ(liquid crystal display)
４２  ＬＣＤ制御部
４３  電源
４４  顧客制御部（ＵＯＰ）
４５  ＬＣＤ
４６  タッチパネル
４７  スピーカ
４８  顧客センサ
４９  取り扱い表示
５１  ハンドセット
５２  電卓型テンキー
５３、５４、５５、５６、５７  図表
【図１】
2010176279.tif 000003
【図２】
2010176279.tif 000004
【図３】
2010176279.tif 000005
【図５】
2010176279.tif 000006
【図４】
2010176279.tif 000007